(57)【要約】【課題】上下にＵ字形状がある板金製品の曲げ加工を、単工程で加工可能にする曲げ加工金型装置およびその方法を提供する事を目的とするものである。【解決手段】上下にＵ字形状がある板金製品１７の加工を行う際に、上下の固定側の材料押え３，４により材料を押えた後、上下の櫛歯状に配列されたＵ字形状の工具１，２により予備形状を作り、その後に、上下の移動側材料押え５，６により最終形状を加工して、単工程での曲げ加工を可能にする。【選択図】図１
2007054876.tif 000002
【特許請求の範囲】
【請求項１】
被加工材を上下方向から押える一対の固定側材料押えと、
この固定側材料押えにより押えられた前記被加工材を曲げ加工して予備形状をつくる一対の櫛歯状Ｕ字工具と、
前記予備形状を形成した前記被加工材を最終形状に曲げ加工する一対の移動側材料押えとを備えた曲げ加工金型装置。
【請求項２】
上下にＵ字形状を有する板金製品の加工を行う際に、上下の固定側の材料押えにより材料を押えた後、上下の櫛歯状に配列されたＵ字形状の工具により予備形状を作り、その後、上下の移動側材料押えにより最終形状を作る曲げ加工方法。
【発明の詳細な説明】
【技術分野】
【０００１】
本発明は、上下にＵ字曲げ形状の板金製品の加工を行う際に使用する曲げ加工金型装置およびその方法に関するものである。
【背景技術】
【０００２】
図６に記載している加工後被加工材１７ｂのような、上下にＵ字曲げ形状の板金製品を加工する従来の曲げ加工金型装置およびその方法について、図面を用いて説明する。
【０００３】
図７は、従来における曲げ加工金型装置の斜視図である。図７において、２０は、櫛歯状Ｕ字工具Ｃ、２１は、櫛歯状Ｕ字工具Ｄ、２２は、固定側材料押えＣ、２３は、固定側材料押えＤである。また、図８から図１０は、従来の曲げ加工金型装置の動作を示す模式図である。図８は、上死点状態の側面図、図９は、被加工材１７を固定側材料押えＣ２２と固定側材料押えＤ２３で挟んで、被加工材１７を固定した状態の側面図で、図１０は下死点状態の側面図である。１８は、加工時の下型の移動方向ａ、１９は、加工時の上型の移動方向ｂ、２４は、櫛歯状Ｕ字工具先端部の長手方向の寸法ａ、２５は、櫛歯状Ｕ字工具先端部の高さ方向の寸法ｂである。
【０００４】
従来は、櫛歯状Ｕ字工具Ｃ２０、櫛歯状Ｕ字工具Ｄ２１、固定側材料押えＣ２２、固定側材料押えＤ２３を用いて、図９に示すように、被加工材１７を固定側材料押えＣ２２と固定側材料押えＤ２３で挟み、被加工材１７を固定した状態で、図１０に示すように、櫛歯状Ｕ字工具Ｃ２０が方向ｂ１９、櫛歯状Ｕ字工具Ｄ２１が方向ａ１８に動作することによりＵ字曲げ形状を加工する。このとき、被加工材１７への負荷が大きいため、被加工材１７が破断することがある。この破断をなくす為、従来は、寸法ａ２４を大きめにし、寸法ｂ２５を小さめにした櫛歯状Ｕ字工具Ｃ２０、櫛歯状Ｕ字工具Ｄ２１を用いた同様な曲げ加工金型装置動作の工程を数工程設けることにより、被加工材１７を最終形状のＵ字曲げ形状に曲げ加工した。
【０００５】
なお、この出願に関する先行技術文献情報としては、たとえば、特許文献１が知られている。
【特許文献１】特開平２−２７０８０号公報
【発明の開示】
【発明が解決しようとする課題】
【０００６】
しかしながら上記従来の曲げ加工金型装置では、数工程の工具を製作して加工しなければならなく、納期(リードタイム)短縮及び低コスト(加工コスト)を図れないという問題を有していた。本発明は、単工程で上下にＵ字形状がある板金製品の加工を、簡単な構成で行う、曲げ加工金型装置およびその方法を提供する事を目的とするものである。
【課題を解決するための手段】
【０００７】
上記目的を達成するために、本発明の加工金型装置は、以下の構成を有するものである。
【０００８】
本発明の請求項１に記載の発明は、特に、被加工材を上下方向から押える一対の固定側材料押えと、上記固定側材料押えにより押えられた被加工材を曲げ加工して予備形状をつくる一対の櫛歯状Ｕ字工具と、上記予備形状を形成した被加工材を最終形状に曲げ加工する一対の移動側材料押えとを備えた曲げ加工金型装置であり、材料への負荷が少なくなり、従来多工程でしか加工できなかった加工を、単工程で簡単かつ容易に曲げ加工できるという作用効果を奏する。
【０００９】
本発明の請求項２に記載の発明は、特に、上下にＵ字形状を有する板金製品の加工を行う際に、上下の固定側の材料押えにより材料を押えた後、上下の櫛歯状に配列されたＵ字形状の工具により予備形状を作り、その後、上下の移動側材料押えにより最終形状を作る曲げ加工方法であり、材料への負荷が少なくなり、従来多工程でしか加工できなかった加工を、単工程で簡単かつ容易に曲げ加工できるという作用効果を奏する。
【発明の効果】
【００１０】
以上のように本発明によれば、上下の固定側の材料押えにより材料を押えた後、上下の櫛歯状に配列されたＵ字形状の工具により予備形状を作り、その後、上下の移動側材料押えにより最終形状を作る曲げ加工方法により、上下にＵ字形状がある板金製品の加工を、単工程で簡単かつ容易に曲げ加工できるという効果が得られる。
【発明を実施するための最良の形態】
【００１１】
以下、実施の形態１を用いて、本発明の特に請求項１について説明する。
【００１２】
図１は、本発明による曲げ加工金型装置を示す斜視図である。
【００１３】
１は、櫛歯状Ｕ字工具ａ、２は、櫛歯状Ｕ字工具ｂ、３は、固定側材料押えａ、４は、固定側材料押えｂ、５は、移動側材料押えａ、６は、移動側材料押えｂ、７は、パンチホルダー、８は、バッキングプレートａ、９は、パンチプレート、１０は、底板ａ、１１は、ストリッパープレートａ、１２は、底板ｂ、１３は、ストリッパープレートｂ、１４は、ダイプレート、１５は、バッキングプレートｂ、１６は、ダイホルダー、１７は、被加工材である。櫛歯状Ｕ字工具ａ１は、ストリッパープレートａ１１に挿入する。固定側材料押えａ３は、ストリッパープレートｂ１３に挿入する。移動側材料押えａ５は、パンチプレート９に挿入する。櫛歯状Ｕ字工具ｂ２、固定側材料押えｂ４、移動側材料押えｂ６は、ダイプレート１４に挿入する。
【００１４】
図２から図５は、本発明の曲げ加工金型装置の動作を説明する模式図である。
【００１５】
図２は、上死点状態の側面図、図３は、上型が方向１９に移動することにより、ストリッパープレートｂ１３に挿入された固定側材料押えａ３と、ダイプレート１４に挿入された固定側材料押えｂ４で、被加工材１７を挟み込み固定している側面図である。図４は、上型が方向ｂ１９に移動することにより、ストリッパープレートａ１1に挿入された櫛歯状Ｕ字工具ａ１が、方向ｂ１９に移動し、その櫛歯状Ｕ字工具ａ１と同じタイミングと移動量で、ダイプレート１４に挿入された櫛歯状Ｕ字工具ｂ２が、方向ａ１８に移動し、被加工材１７を拡大図の形状に加工する。図５は、上型がさらに方向ｂ１９に移動することにより、パンチプレート９に挿入された移動側材料押えａ５が、方向ｂ１９に移動し、その移動側材料押えａ５と同じタイミングと移動量で、ダイプレート１４に挿入された移動側材料押えｂ６が、方向ａ１８に移動し、被加工材１７を、拡大図に示すような最終形状に加工する。
【００１６】
以上のように、本実施の形態によれば、上下にＵ字形状がある板金製品の加工を行う際に、上下の固定側の材料押えにより材料を押えた後、上下の櫛歯状に配列されたＵ字形状の工具により予備曲げ加工形状(１次曲げ加工形状)を作る。その後に、上下の移動側材料押えにより最終曲げ加工形状(２次曲げ加工形状)を作る金型装置を用いることにより、単工程での簡単で容易な曲げ加工が可能となる。
【産業上の利用可能性】
【００１７】
本発明の曲げ加工金型装置およびその方法は、上下の固定側の材料押えにより材料を押えた後、上下の櫛歯状に配列されたＵ字形状の工具により予備形状を作り、その後、上下の移動側材料押えにより最終形状を作るものであり、上下にＵ字形状がある板金製品の加工を、単工程で簡単・容易に曲げ加工できるという効果を有し、上下にＵ字曲げ形状の板金製品の加工を行う際に使用する曲げ加工金型装置およびその方法などの用途に有用である。
【図面の簡単な説明】
【００１８】
【図１】本発明による曲げ加工金型装置を示す斜視図
【図２】本発明における上死点状態の曲げ加工金型装置を示す側面図
【図３】本発明における被加工材を固定した曲げ加工金型装置の状態を示す側面図
【図４】本発明における被加工材を曲げ加工した曲げ加工金型装置の状態を示す側面図
【図５】本発明における被加工材を最終形状に曲げ加工した曲げ加工金型装置の状態を示す側面図
【図６】Ｕ字曲げ形状の板金製品を示す図
【図７】従来における曲げ加工金型装置を示す斜視図
【図８】従来における上死点状態の曲げ加工金型装置を示す側面図
【図９】従来における被加工材を固定した曲げ加工金型装置の状態を示す側面図
【図１０】従来における下死点状態の曲げ加工金型装置を示す側面図
【符号の説明】
【００１９】
１  櫛歯状Ｕ字工具ａ
２  櫛歯状Ｕ字工具ｂ
３  固定側材料押えａ
４  固定側材料押えｂ
５  移動側材料押えａ
６  移動側材料押えｂ
７  パンチホルダー
８  バッキングプレートａ
９  パンチプレート
１０  底板ａ
１１  ストリッパープレートａ
１２  底板ｂ
１３  ストリッパープレートｂ
１４  ダイプレート
１５  バッキングプレートｂ
１６  ダイホルダー
１７  被加工材
１７ａ  加工前被加工材
１７ｂ  加工後被加工材
１８  方向ａ
１９  方向ｂ
２０  櫛歯状Ｕ字工具Ｃ
２１  櫛歯状Ｕ字工具Ｄ
２２  固定側材料押えＣ
２３  固定側材料押えＤ
２４  寸法ａ
２５  寸法ｂ
【図１】
2007054876.tif 000003
【図２】
2007054876.tif 000004
【図３】
2007054876.tif 000005
【図４】
2007054876.tif 000006
【図５】
2007054876.tif 000007
【図６】
2007054876.tif 000008
【図７】
2007054876.tif 000009
【図８】
2007054876.tif 000010
【図９】
2007054876.tif 000011
【図１０】
2007054876.tif 000012